(57)【要約】【課題】  被写体に応じて偽色／解像に関し最適な撮影結果の得られるデジタルカメラを得る。【解決手段】  撮影光路中の光学的ローパス効果が切替え可能なデジタルカメラ装置に於いて、光学的ローパス効果を切り替える切替え手段と、光学的ローパス効果有る無しの２状態で撮像した画像を各々取り込む入力手段と、取り込んだ２状態の画像を比較し、光学的ローパス効果無しの状態で撮像された画像の偽色の有無を判定する判定手段と、判定結果に基づき、偽色が検出されなかった場合には光学的ローパス効果の無い画像を保存し、偽色が検出された場合には光学的ローパス効果が有る画像を保存する手段を有する構成とする。【選択図】  図１
2005159801.tif 000002
【特許請求の範囲】
【請求項１】
撮影光路中の光学的ローパス効果が切替え可能なデジタルカメラ装置に於いて、該デジタルカメラ装置は光学的ローパス効果を切り替える切替え手段と、該切替え手段により光学的ローパス効果有る無しの２状態に切替えて撮像し画像を各々取り込む入力手段と、該入力手段により取り込んだ２状態の画像を比較し光学的ローパス効果無しの状態で撮像された画像の偽色の有無を判定する判定手段を有することを特徴とするデジタルカメラ装置。
【請求項２】
上記デジタルカメラ装置において、該デジタルカメラ装置は上記判定手段による判定結果に基づき、偽色が検出されなかった場合には光学的ローパス効果の無い画像を保存し、偽色が検出された場合には光学的ローパス効果が有る画像を保存する手段を有することを特徴とする請求項１に記載のデジタルカメラ装置。
【請求項３】
上記デジタルカメラ装置に於いて、上記デジタルカメラ装置の判定手段は上記入力手段により取り込んだ２状態における画像の色評価値を比較し光学的ローパス効果無しの状態で撮像された画像の偽色の有無を判定することを特徴とする請求項１及び請求項２に記載のデジタルカメラ装置。
【請求項４】
上記デジタルカメラ装置に於いて、上記デジタルカメラ装置の判定手段は上記入力手段により取り込んだ２状態における画像を複数のブロックに分割し、分割した複数のブロックのそれぞれにおいて色評価値を比較し光学的ローパス効果無しの状態で撮像された画像の偽色の有無を判定することを特徴とする請求項３に記載のデジタルカメラ装置。
【請求項５】
上記デジタルカメラ装置に於いて、上記デジタルカメラ装置の判定手段で上記入力手段により取り込んだ２状態における画像を複数のブロックに分割する際に、被写体の同一位置が対応するように切り出し位置を揃える手段を有することを特徴とする請求項４に記載のデジタルカメラ装置。
【請求項６】
上記デジタルカメラ装置に於いて、上記デジタルカメラ装置は上記方法による撮影モードを選択する手段を有することを特徴とする請求項1ないし請求項５に記載のデジタルカメラ装置。
【発明の詳細な説明】
【技術分野】
【０００１】
本発明は、固体撮像素子を撮像デバイスとするデジタルカメラ装置に関し、詳しくは、光学ローパスフィルターを有するデジタルカメラ装置に関するものである。
【背景技術】
【０００２】
個体撮像素子を利用したデジタルカメラは画素及びカラーフィルターが規則的に配列しているために被写体にカラーフィルターの周期にマッチングする周期パターンがあると偽色を発生する。偽色はカラーフィルターの周期パターンと被写体像の周期パターンのモアレであり、色の無いところに色付いたモアレ状パターンが出現するので特に芸術写真や商品撮影ではその違和感が嫌われる。
【０００３】
従来のデジタルカメラでは光学ローパスフィルターが組み込まれており偽色を改善しているが、ほぼ撮像素子のナイキスト周波数でＭＴＦがゼロになるように像ズレ量を選んで像をぼかしているのでナイキスト周波数付近の周波数及び低周波においてＭＴＦを低下させ、解像力、コントラストの低下した画像になってしまうという欠点を有していた。
【０００４】
デジタルカメラの偽色はカラーフィルターの周期にマッチングする周期パターンが存在する被写体においてのみ発生するのでそのような周期パターンが存在しない被写体においては元々偽色の発生が無いので光学ローパスフィルターは不要であるばかりでなく解像力及びコントラスト低下の悪影響のみが残ることになる。
【０００５】
このような事情からレンズ交換可能なデジタル一眼レフカメラにおいて、光学ローパスフィルターをカメラのマウント付近に設けユーザーが取り外し可能とした機種が存在する。
【０００６】
又、特開平１０−３２２５８９のようにデジタルカメラで光学ローパスフィルターを撮像光路中に挿入/退避可能な構成にしたり、特開平７−２４５７６２のようにデジタルカメラで光学ローパスフィルターを複数の複屈折板で構成し回転可能な構成にしたりして光学的ローパス効果を可変としたものが提案されている。
【発明の開示】
【発明が解決しようとする課題】
【０００７】
上記従来例のデジタルカメラでは光学ローパスフィルターの光学的ローパス効果が可変になっているが、光学的ローパス効果を選択するときに、自分が撮影しようとしている被写体が偽色を発生する被写体かどうかユーザーが自分の経験から判断しなければならない。しかしその判断は困難である。また、被写体全部に亙って偽色の発生するような周期パターンかチェックするのは難しく、注意したつもりで撮影した後にある重要な部分に偽色が発生していたということも多くあった。
【０００８】
さらに、偽色が発生するかどうかを撮影前に吟味し、チェックしているとシャッターチャンスを逃してしまうという難点もあった。
【課題を解決するための手段】
【０００９】
上記目的を達成するため、本出願に係る発明は、
（１）撮影光路中の光学的ローパス効果が切替え可能なデジタルカメラ装置に於いて、該デジタルカメラ装置は光学的ローパス効果を切り替える切替え手段と、該切替え手段により光学的ローパス効果有る無しの２状態に切替えて撮像し画像を各々取り込む入力手段と、該入力手段により取り込んだ２状態の画像を比較し光学的ローパス効果無しの状態で撮像された画像の偽色の有無を判定する判定手段を有する様に構成すること、
（１−２）上記デジタルカメラ装置において、該デジタルカメラ装置は上記判定手段による判定結果に基づき、偽色が検出されなかった場合には光学的ローパス効果の無い画像を保存し、偽色が検出された場合には光学的ローパス効果が有る画像を保存する手段を有すること、
（１−３）上記デジタルカメラ装置に於いて、上記デジタルカメラ装置の判定手段は上記入力手段により取り込んだ２状態における画像の色評価値を比較し光学的ローパス効果無しの状態で撮像された画像の偽色の有無を判定すること、
（１−４）上記デジタルカメラ装置に於いて、上記デジタルカメラ装置の判定手段は上記入力手段により取り込んだ２状態における画像を複数のブロックに分割し、分割した複数のブロックのそれぞれにおいて色評価値を比較し光学的ローパス効果無しの状態で撮像された画像の偽色の有無を判定すること、
（１−５）上記デジタルカメラ装置に於いて、上記デジタルカメラ装置の判定手段で上記入力手段により取り込んだ２状態における画像を複数のブロックに分割する際に、被写体の同一位置が対応するように切り出し位置を揃える手段を有すること等を特徴としている。
【発明の効果】
【００１０】
本発明は、撮影光路中の光学的ローパス効果が切替え可能なデジタルカメラ装置に於いて、該デジタルカメラ装置は光学的ローパス効果を切り替える切替え手段と、該切替え手段により光学的ローパス効果有る無しの２状態に切替えて撮像し画像を各々取り込む入力手段と、該入力手段により取り込んだ２状態の画像を比較し光学的ローパス効果無しの状態で撮像された画像の偽色の有無を判定する判定手段を有し、該判定手段による判定結果に基づき、偽色が検出されなかった場合には光学的ローパス効果の無い画像を保存し、偽色が検出された場合には光学的ローパス効果が有る画像を保存する手段を有する構成とすることにより、以下のような効果を見出した。
【００１１】
被写体の状況により常に最適な画像が得られる。すなはち、偽色が発生するような被写体の撮影の場合は光学ローパスフィルターを撮像光路中に挿入し偽色を光学的に除去した画像を記録し、偽色の発生が無いような被写体の撮影の場合は光学ローパスフィルターを撮像光路中から退避して高解像でコントラストの高い画像を記録することができるので常に最良の画像が得られる。
【００１２】
偽色の判断が迅速にでき選択されるのでシャッターチャンスを逃すことなく常に最良の画像が得られる。
【００１３】
偽色有無の判断が簡単なアルゴリズムで可能なため処理回路を簡単な構成にでき、処理スピードも速い。
【００１４】
光学的ローパス効果の有無の画像比較によって偽色有無の判定を行なう方式であるため、被写体に元々存在する色パターンによる偽色誤判定の発生が少ない。
【発明を実施するための最良の形態】
【００１５】
（実施例１）
図１は本発明に関する第１の実施例のデジタルカメラ装置を示す図であり、交換レンズ１が装着可能なデジタル一眼レフカメラである。
【００１６】
図１（Ａ）はローパスフィルタユニット３の、光学ローパスフィルター３１が撮影光路から退避した状態で「光学ローパス効果無し」の状態である。この状態では光学ローパスフィルター３１と同一光路長を有するダミーガラス３２が撮影光路中にあり、交換レンズ１の像性能が損なわれず被写体像が撮像素子５で撮像される。
【００１７】
交換レンズ１を透過した光像はファインダ観察時には回転ミラー２３で反射してピント板２４に結像し、ペンタプリズム２５、接眼レンズ２６を介して観察される。撮影時は回転ミラー２３は撮影光路から退避し、光学ローパスフィルター３１及びダミーガラス３２で構成されるローパスフィルタユニット３のうちダミーガラス３２を経て撮像素子５で撮像される。
【００１８】
図１（Ｂ）はローパスフィルタユニット３が、光学ローパスフィルター３１が撮影光路中に挿入された状態で「光学ローパス効果有り」の状態である。この状態では光学ローパスフィルター３１が撮影光路にあり、ほぼ撮像素子のナイキスト周波数でＭＴＦがゼロになるように像ズレ量を選んで像をぼかした状態で被写体像を撮像素子５に結像させている。従って偽色は発生しない状態になっている。但しナイキスト周波数付近の周波数及び低周波においてＭＴＦを低下させ、解像力、コントラストの低下は避けられないものである。
【００１９】
交換レンズ１を透過した光像はファインダ観察時には回転ミラー２３で反射してピント板２４に結像し、ペンタプリズム２５、接眼レンズ２６を介して観察される。撮影時は回転ミラー２３は撮影光路から退避し、光学ローパスフィルター３１及びダミーガラス３２で構成されるローパスフィルタユニット３のうち光学ローパスフィルター３１を経て撮像素子５で撮像される。
【００２０】
このような構成のデジタル一眼レフカメラでシャッターを切ると先ず図１（Ａ）の状態、すなわちローパスフィルタユニット３が、光学ローパスフィルター３１が撮影光路から退避した状態（「光学ローパス効果無し」の状態）で撮像素子５が被写体像を撮像し、画像処理/判定処理回路部６のメモリー部に画像データを保存する。次に図１（Ｂ）の状態、すなはちローパスフィルタユニット３の、光学ローパスフィルター３１が撮影光路に挿入された状態（「光学ローパス効果有り」の状態）で撮像素子５が被写体像を撮像し、画像処理/判定処理回路部６のメモリー部に画像データを保存する。
【００２１】
光学ローパス効果無し/有りの２状態の画像データを取り込み終わると画像処理/判定処理回路部６は画像データの２状態における画像を被写体の同一位置が対応するように切り出し位置を揃える処理を行なった上で複数の画像ブロックに分割し、分割した複数の画像ブロックのそれぞれにおいて色評価値を計算し、計算された色評価値をそれぞれの画像ブロックで比較し色評価値が異なる画像ブロックがある一定の閾値を超えて存在する場合には光学ローパス効果無しで撮像すれば偽色ありと判定し、光学的ローパス効果が有る状態すなわち（Ｂ）の状態で取り込んだ画像を保存する様にする。
【００２２】
一方、計算された色評価値をそれぞれの画像ブロックで比較し色評価値が異なる画像ブロックがある一定の閾値以下の場合には光学ローパス効果無しで撮像しても偽色の発生無しと判定し、光学的ローパス効果が退避した状態すなはち（Ａ）の状態で取り込んだ画像を保存する様にする。
【００２３】
このようにして偽色が発生するような被写体の撮影の場合は光学ローパスフィルターを撮像光路中に挿入し偽色を光学的に除去した画像を記録し、偽色の発生が無いような被写体の撮影の場合は光学ローパスフィルターを撮像光路中から退避して高解像でコントラストの高い画像を記録することができるので常に最良の画像が得られる。
【００２４】
（その他の実施例）
１．本発明はデジタル一眼レフカメラに限らず一般のデジタルカメラにも適用して効果のある技術である。
【００２５】
２．光学ローパスフィルターは実施例１のような挿入/退避による切替方式の他に、光学ローパスフィルターを構成する複屈折板の一部を回転して光学的ローパス効果を可変とするものや、電気的複屈折効果を利用し電気的に光学的ローパス効果を可変とするものも適用可能である。
【００２６】
３．光学的ローパス効果有る無しの２状態の画像中、動いた被写体が存在する部分は評価の対象から外すような処理も可能である。
【００２７】
４．デジタルカメラで本発明の最良画像撮影のモードを選択可能としたものにすれば、最初から光学ローパスフィルター有りか無しかの状態で撮影したい場合や、動きの激しいスポーツ撮影等明らかに２像の比較が困難な撮影状況では有効である。
【図面の簡単な説明】
【００２８】
【図１】本発明の第１の実施例のデジタルカメラ装置の構成を示す図。
【図２】本発明の第１の実施例の処理手順を示すフローチャートを示す図。
【符号の説明】
【００２９】
１  交換レンズ
２  デジタル一眼レフカメラ
３  ローパスフィルタユニット
４  撮像素子ユニット
５  撮像素子
６  画像処理/判定処理回路部
２３  回転ミラー
２４  ピント板
２５  ペンタダハプリズム
２６  接眼レンズ
３１  光学ローパスフィルター
３２  ダミーガラス
【図１】
2005159801.tif 000003
【図２】
2005159801.tif 000004